(57)【要約】【課題】本発明は、原子力、特に原子力発電所の原子炉の安全システムにおける電気ヒーターに関する。本発明の目的は、原子力発電所での運転におけるＢＴＥＮの信頼性を向上させることである。【解決手段】本発明の技術的結果は、ＢＴＡＮの組立及び操作の容易さを提供する装置を提供し、設置時間とＤＯＳＳＴＡＲＴスタッフを削減し、ＰＥＴＮのノードＬＩＫＯＰＯＤＩＪＩＡの熱安定性を高める。バスバーユニットは管状であることで達成される。管状ヒーターのブロックは、密閉端子ボックス，出力管状ヒーターへの電力線の接続ノード，グループを含む。そして、バヨネット接続の溝は、傾斜したプロファイル面の形態で作られる。また、銃剣の接合箇所は非対称的な歯付きノッチの形でなされる。選択として、異なった長さの耐熱性密閉プラグのコネクターは管状の電気ストーブのブロックで使用される。
2021511615.tif 000002
【特許請求の範囲】
【請求項１】
管状ヒーターのバスバーブロックであって、
管状ヒーターのブロック、
シールされた末端ボックス、
グループに結合される、前記出力管状ヒーターに電源ワイヤーを接続する接続ノードから構成され、
前記ノードは、耐熱シールドプラグバヨネットコネクタの形態で、出力筒状ヒーターに供給して接続され、
プラグは、出力筒状ヒーターであり、バヨネット接続の溝は、傾斜したプロファイル面の形態で作られることを特徴とする。
【請求項２】
請求項１に記載のブッシュユニット管状の電気ヒーターであって、
バヨネット接続が非対称歯付きノッチの形態で行われることを特徴とする。
【請求項３】
請求項１に記載のブッシュユニット管状電気ヒーターであって、
異なる長さの耐熱密封プラグコネクタを使用したブロック管状電気ヒーターであることを特徴とする。
【請求項４】
請求項１に記載のブッシュユニット管状電気ヒーターであって、
ブロック管状電気ヒーターは、管状電気ヒーターの長さの異なるグループの耐熱密封プラグコネクタを使用することを特徴とする。
【発明の詳細な説明】
【技術分野】
【０００１】
本発明は、原子力、特に原子力発電所の原子炉の安全システムにおける電気ヒーターに関する。
【背景技術】
【０００２】
ＮＰＰ原子炉設備の電気ヒーターのブッシングは、電源システムの電力ボードから受け取った電気エネルギーを原子炉設備の電気ヒーターに確実に伝達するよう、母線は電気ヒーター、電気耐熱性通信回線、現在の供給の関係ノード、端子箱を含んでいる。
【０００３】
管状電気ヒーター（以下ＢＴＥＮ）”ブロック管状電気ヒーター”（ＲＦ特許第５０６３９Ｆ２４Ｈ、Ｇ２１Ｃ、優先順位２５．０２．２００５）のブロックが使用される。
【０００４】
このＢＴＥＮは発熱体、通された穴が付いているフランジ、前述のフランジの通された穴にねじで締める締める物によってフランジに固定される保護包を含む。
【先行技術文献】
【特許文献】
【０００５】
【特許文献１】ロシア特許第５０６３９号
【発明の概要】
【発明が解決しようとする課題】
【０００６】
この装置の欠点は次のとおりである。
【０００７】
−ＴＥＮの電流供給におけるボルト接続の存在、
−電気設備におけるＴＥＮの接点へのアクセスの複雑さ。
【０００８】
技術的な本質で最も近いデバイス”ブッシュユニット管状電気ヒーター”（ＲＦ実用新案番号６１９３７、ＩＰＣ  Ｈ０１Ｆ６／００（２００６．０１）、優先順位２２．０６．２００６）では、電気ヒーターのグループと密封，さらに、差動圧力補正器は密封された端子箱のハウジングに取付けられている。プロトタイプに対して技術的決定が下された。
【０００９】
プロトタイプとして取られた既知のデバイスの欠点は次のとおりである。
【００１０】
−ＴＥＮの電流供給のノードにおけるボルト接続の存在、
−インストールの複雑さ（解体）、ＴＥＮの電気パラメータの制御の性能、
−操作の間の発熱体の現在の供給の単位の不十分な熱抵抗。
【００１１】
本発明の目的は、原子力発電所での運転におけるＢＴＥＮの信頼性を向上させることである。
【課題を解決するための手段】
【００１２】
バスバーユニットは管状であることで達成され、管状ヒーターのブロックを含む。密閉端子ボックス，出力管状ヒーターへの電力線の接続ノード、グループ、そして、バヨネット接続の溝は、傾斜したプロファイル面の形態で作られる。また、銃剣の接合箇所は非対称的な歯付きノッチの形でなされる。選択として、異なった長さの耐熱性密閉プラグのコネクターは管状の電気ストーブのブロックで使用される。
【発明の効果】
【００１３】
本発明の技術的結果は、ＢＴＡＮの組立及び操作の容易さを提供する装置を提供し、設置時間とＤＯＳSTARTスタッフを削減し、ＰＥＴＮのノードＬＩＫＯＰＯＤＩＪＩＡの熱安定性を高めることである。
【図面の簡単な説明】
【００１４】
本発明の本質は図面によって説明される。
【図１】図１は、ブッシュユニット管状の電気ヒーターの一般的な図を示す。
【図２】図２は、管状の電気ヒーターのブロックを示す。
【図３】図３は、既存のＢＴＥＮ（ＰＲＯＴＯＴＹＰＥ）の電流供給ユニットを示す。
【図４】図４は、プラグのコネクターを示す。
【図５】図５は、バヨネットコネクタ溝の形状を示す。
【図６】図６は、バヨネットコネクタ溝の非対称鋸歯状のノッチ面の形状を示す。
【発明を実施するための形態】
【００１５】
バスバーブロック管１は管状ブロック２を含み、密封された端子箱３は、電源ワイヤー４から末端５、管６への接続ノードである。管状の電気ヒーター６のターミナル５は棒７および接触の板８を含んでいる。接続のため、パワーワイヤー４−端子５、６管状耐熱性密閉銃剣コネクタプラグ９、どのプラグが管状電気ヒーター８の接触板である。バヨネット接続のピン１０は、管状の電気ヒーター６の本体に作られ、バヨネット接続の溝１１は、バヨネットコネクタ９の本体に作られる。
【００１６】
また、溝は非対称的な歯付きノッチ１２が付いている傾向があるプロフィールの表面の形でなされる。選択として、耐熱性密封されたプラグのコネクター９は異なった長さ（管状の電気ヒーター６）のグループの異なった長さから成っている。
【００１７】
ソケット１３バヨネットコネクタによって接点を促すスプリングアセンブリを有する。
【００１８】
銃剣のコネクター９のソケット１３は耐熱性陶磁器の挿入物１５によって銃剣のコネクター９の内部ハウジング９から絶縁される。
【００１９】
パワーワイヤー４を管状の電気ヒーター６の端子５に接続するノードのシールを確実にするために、耐熱ガスケット１７が適用され、キャップナット１８が管状の電気ヒーター９のプラグのコネクター６の固定を保障するためには、ばね１９は応用である。プラグのコネクター９の銃剣の部分の長さは管状の電気ヒーター９のボディにプラグのコネクター９の重量の大部分を移し、プラグ８ソケットの関係１３のこの装置の製造のために、次の耐熱性材料は使用することができる。プラグのコネクター９のハウジングのために、１５鋼鉄０８Ｘ１８Ｎ１０Ｔ、絶縁体のため。
【００２０】
製品の使用は以下の通りである。管状の電気ヒーター９にプラグのコネクター９を取付けるとき６、電気関係はプラグとソケット８、１３の間でなされる。プラグ９の軸方向移動は、傾斜したプロファイルされた溝面１１上のピン１０の移動によって、供給される。スナップアクション電気接触により、また、同時に、ガスケット１７とスプリング１９の弾性のために、管状ヒーター６との絶縁シーリングにより。歯付きノッチ１２を使用するとき、プラグのコネクター９はあらゆる中間位置の管状の電気ストーブ６に固定される。歯付きノッチ１２の値は、一方では中間位置におけるカム１０の固定を確実にするように選択され、他方では溝１０に沿ったカム１１の非常に容易な動きである。
【００２１】
プラグコネクタ７の解体は次のように行われる。プラグコネクタ７は、スプリング１９の弾性のために前方に移動し、その軸方向の動きが生じ、カム１０はギアノッチ１２から離脱する。プラグコネクタ９を元に戻すと、プラグコネクタは切断される。
【００２２】
管状の電気ヒーター７は、２のブロックにプラグコネクタ２の設置を容易にするために、異なる長さのプラグコネクタが使用される。あるいは、プラグコネクタ７の長さは、管状の電気ヒーターのグループに分割される。
【００２３】
このように、既知のデバイスと比較して提案された技術的解決策の使用は、原子力発電所でのメンテナンスの過程で信頼性とＢＴＥＮを向上させる。
【図１】
2021511615.tif 000003
【図２】
2021511615.tif 000004
【図３】
2021511615.tif 000005
【図４】
2021511615.tif 000006
【図５】
2021511615.tif 000007
【図６】
2021511615.tif 000008
【国際調査報告】
2021511615.tif 000009
2021511615.tif 000010